(57)【要約】【課題】数種類のタイプ、大きさのバイクシートに適合する汎用カバーを提供すること。【解決手段】上面部材10と前端襠部材20と後方側面部材30の３つの構成部材からなる。上面部材10の前後方向長さが４０ｃｍよりも小さいサイズにおいては、上面部材10の前端縁部11の略Ｖ字形状カットの角度を１４０度以上とし、後方側面部材30の前方縁部31の長さを後方縁部32の長さよりも大きく形成する。上面部材10の前後方向長さが４０ｃｍよりも大きいサイズにおいては、上面部材10の前端縁部11を形成する略Ｖ字形状カットの角度を１４０度未満とし又は略Ｕ字形状の深い切り込みを形成し、前端襠部材20の前端両側縁のコーナー部22c を切り欠き、その幅をその後方部分よりも狭く形成する。また後方側面部材30の前方縁部31の長さを後方縁部32の長さよりも小さく形成する。【選択図】図４
0003141863.tif 000002
【実用新案登録請求の範囲】
【請求項１】
上面部材と前端襠部材と後方側面部材の３つの構成部材を相互に縫製してバイク、スクーター等のシートを被覆できる形状に形成し、その周縁部に挿通部を形成し、この挿通部に弾性紐部材を挿通したシートカバーにおいて、
縫製前の上面部材(10)の前後方向長さが約４０ｃｍよりも小さいサイズのシートカバーにおいては、縫製前の上面部材(10)の前端縁部(11)を形成する略Ｖ字形状カットの角度を約１４０度以上とし、
且つ、縫製前の後方側面部材(30)はそれぞれ外側に膨出する前方縁部(31)と後方縁部(32)とからその外形形状が形成され、その前方縁部(31)の縁部長さを後方縁部(32)の縁部長さよりも大きく形成し、
他方、縫製前の上面部材(10)の前後方向長さが約４０ｃｍよりも大きいサイズのシートカバーにおいては、縫製前の上面部材(10)の前端縁部(11)を形成する略Ｖ字形状カットの角度を約１４０度未満とし、又はその前端縁部(11)に略Ｕ字形状の深い切り込みを形成し、この前端縁部(11)と相互に縫着される前端襠部材(20)の前端両側縁のコーナー部(22c) を切り欠き、その幅をその後方部分よりも狭く形成し、
且つ、縫製前の後方側面部材(30)はそれぞれ外側に膨出する前方縁部(31)と後方縁部(32)とからその外形形状が形成され、その前方縁部(31)の縁部長さを後方縁部(32)の縁部長さよりも小さく形成したことを特徴とする自動二輪車用シートカバー。
【考案の詳細な説明】
【技術分野】
【０００１】
本考案は、バイク、ミニバイク、スクーター等の自動二輪車用のシートカバーに関するものである。
【背景技術】
【０００２】
本願出願人は、これまで多くの種類のバイク用シートカバーを提案して来たメーカーであり、Ｓサイズ、Ｍサイズ、そしてＬサイズと大きさの異なるサイズのものを形成して、各種メーカーのバイクシートに適合させるのであるが、そのサイズばかりでなく、各バイクメーカーのそれぞれの車種に適合する形状にその型紙を作成し、それに従って生地を裁断して相互に縫製し、最後に周縁部に挿通部を形成して、その挿通部に強力なゴム紐を挿通して、シートカバーを形成していた。
【０００３】
この従来のシートカバーにおいては、その生地として３つの構成部材を使用している。
即ち、腰を乗せる中央の上面部材と、この上面部材の前端に縫着される前端襠部材と、前記上面部材の後方側縁部を被覆する後方側面部材の３つの構成部材からなり、これらを相互に縫製することにより、シートカバーが形成されるのである。
これら3つの構成部材の型紙形状により、各種の大きさ及び形状のシートに適合させることが出来るわけであるが、このシートカバーは、汎用品であり、幾種類かのメーカーのシートに適合できるようにデザインしているのである。
本願出願人は、これまで、このような汎用品として、各種の型紙を形成して行く過程で、この汎用品として所定の規則があることを発見し、本考案に至ったものである。
【考案の開示】
【考案が解決しようとする課題】
【０００４】
本考案の課題は、上記した通りその型紙に着目して、その型紙形状の特徴を創案して、汎用品として各種のタイプのバイク・スクーター等のシート形状に適合するシートカバーを提供することである。
バイクのシートは、そのサイズ及びその形態がそれぞれ異なっているのであるが、本考案者は、Ｓ、Ｍ、Ｌサイズの違いと、それに応じたその形態の相違に着目することにより、一定の形態的な特徴があることを発見し、しかもその形態的特徴はその型紙に着目することにより発見することができ、本考案を案出することができたものである。
【課題を解決するための手段】
【０００５】
上記の課題を解決するために、本考案は、上面部材と前端襠部材と後方側面部材の３つの構成部材を相互に縫製してバイク、スクーター等のシートを被覆できる形状に形成し、その周縁部に挿通部を形成し、この挿通部に弾性紐部材を挿通したシートカバーにおいて、
縫製前の上面部材の前後方向長さが約４０ｃｍよりも小さいサイズのシートカバーにおいては、縫製前の上面部材の前端縁部を形成する略Ｖ字形状カットの角度を約１４０度以上とし、且つ、縫製前の後方側面部材はそれぞれ外側に膨出する前方縁部と後方縁部とからその外形形状が形成され、その前方縁部の縁部長さを後方縁部の縁部長さよりも大きく形成し、他方、縫製前の上面部材の前後方向長さが約４０ｃｍよりも大きいサイズのシートカバーにおいては、縫製前の上面部材の前端縁部を形成する略Ｖ字形状カットの角度を約１４０度未満とし、又はその前端縁部に略Ｕ字形状の深い切り込みを形成し、この前端縁部と相互に縫着される前端襠部材の前端両側縁のコーナー部を切り欠き、その幅をその後方部分よりも狭く形成し、且つ、縫製前の後方側面部材はそれぞれ外側に膨出する前方縁部と後方縁部とからその外形形状が形成され、その前方縁部の縁部長さを後方縁部の縁部長さよりも小さく形成したことを特徴とする自動二輪車用シートカバーである。
【考案の効果】
【０００６】
本考案においては、まず、その型紙の形状により、自動二輪車のシートカバーとして、その小さいサイズから大きいサイズに渡り、現存のシートの形状により相応しくフィットさせることができる。
より詳しくは、通常は、シートカバーとしてＳサイズ、Ｍサイズ、Ｌサイズの３タイプのものが基本であるが、この３タイプで全ての車種に対応させることは先ず不可能であるために、このＭサイズを更に３段階に、そしてＬサイズを２段階に別けて、合計６タイプのものとしたのである。
そして、この６タイプの内、小さい方の３タイプと、大きい方の３タイプとがその型紙形状として比較すると、明確に異なる特徴を有していることを発見し、前者のタイプと後者のタイプとの２つの形態的特徴とに別けることにより、あらゆるタイプのシートに適合させることが出来たのである。
【考案を実施するための最良の形態】
【０００７】
以下、添付の図面と共に本考案の最良の実施形態について説明する。
図１は、本考案のシートカバーに係る一実施形態の縫製前の展開図を図示したものであって、Ｓサイズのものを示す平面図である。図中、矢印Ｆが前方方向である（以下同じ）。
本考案に係るシートカバーは、上面部材１０と、上面部材１０の前端縁部１１に縫着される前端襠部材２０と、上面部材１０の後端縁部１２に縫着される後方側面部材３０の３つの部材から構成される。
このＳサイズの前後方向長さＮは３５．５ｃｍである。
【０００８】
後方側面部材３０は、左右に横長の細長形状のものからなり、それぞれ外側方向に膨出する前端縁部３１と後端縁部３２とによって囲まれる細長片形状から成る。
前端襠部材２０は、楕円形の長軸を前後方向に配置して、半分に（短辺で）切断した形状を有しており、その下側の曲線外周縁部２２が上面部材１０の前端縁部１１に縫着される。従って、曲線外周縁部２２と前端縁部１１とは略同一の長さに形成されている。
同様に、上面部材１０の後端縁部１２と後方側面部材３０の前端縁部３１も相互に縫着され、それ故、それらの長さは略同一に形成されている。
【０００９】
上面部材１０の前端縁部１１を形成する略Ｖ字形状カットの角度θは、略１５６度である。
また、後方側面部材３０の前端縁部３１の長さは、後端縁部３２の長さよりも長く形成しており、即ち、前端縁部３１が前方に大きく膨出する湾曲形状に形成されている。
【００１０】
図２は、本考案のシートカバーに係る一実施形態の縫製前の展開図を図示したものであって、Ｍ１サイズのものを示す平面図である。
このＭ１サイズのものも、上面部材１０と前端襠部財２０と後方側面部材３０の３つの部材から構成される。
このＭ１サイズのものは、上記Ｓサイズのものよりも一段階大きいものであり、上面部材１０の前後方向長さＮは、４０ｃｍである。
また、上面部材１０の前端縁部１１の略Ｖ字カット形状の角度θは、略１６６度である。
後方側面部材３０では、上記Ｓサイズと同様に、前端縁部３１の長さを後端縁部３２の長さよりも長く形成している。
このＭ１サイズにおいては、この後端縁部３２は、直線的に角度を持たせて形成している。
【００１１】
図３は、本考案のシートカバーに係る一実施形態の縫製前の展開図を図示したものであって、Ｍ２サイズのものを示す平面図である。
このＭ２サイズのものも、上面部材１０と前端襠部財２０と後方側面部材３０の３つの部材から構成される。
このＭ２サイズのものは、上記Ｍ１サイズのものと略同じ大きさのものであり、上面部材１０の前後方向長さＮは、４０ｃｍである。
【００１２】
異なる点は、上面部材１０の前端縁部１１の形状である略Ｖ字カット形状の角度θをより小さく形成しており、その角度は略１４０度である。
このために、前端襠部材２０の曲線外周部２２の長さを長く形成し、それ故前端襠部材２０の前後方向長さが、前記Ｍ１サイズのものよりも長く形成されている。
後方側面部材３０も、上記Ｍ１サイズと同様に、前端縁部３１の長さを後端縁部３２の長さよりも長く形成し、略同様の形状に形成している。
【００１３】
図４は、本考案のシートカバーに係る一実施形態の縫製前の展開図を図示したものであって、Ｍ３サイズのものを示す平面図である。
このＭ３サイズのものも、上記同様、上面部材１０と前端襠部財２０と後方側面部材３０の３つの部材から構成される。
このＭ３サイズのものは、上記Ｍ１及びＭ２サイズのものよりも大きいサイズのものであり、上面部材１０の前後方向長さＮは、４３ｃｍである。
【００１４】
このＭ３サイズのものから、その形態が上記３つのサイズのものと明瞭に異なる。
即ち、異なる点の第一は、上面部材１０の前端縁部１１の形状が大きく略Ｕ字形状に切込みが形成され、その切込み角度θは、約９０度である。
また、前端襠部材２０の曲線外周縁部２２の両側の前端部（図中上方両端部、シートに取り付けられた際は下端部）コーナー部２２ｃ、２２ｃを切り欠いて、図中上端部（前端部）の横幅を、その下方（後方）部分よりも小さく形成している。
【００１５】
このように形成したのは、バイクシートの先端部により密着させるためであり、バイクシートの前端形状によりフィットさせるためである。
更に、後方側面部材３０についても、上記のそれぞれのサイズと全く逆に、前端縁部３１の長さを後端縁部３２の長さよりも短く形成した点が前記サイズのものと異なっている。
このような形状にしたのは、上面部材との縫着長さを短くし、シートの後方外周下端縁部との適合性を向上させたものである。
【００１６】
図５は、本考案のシートカバーに係る一実施形態の縫製前の展開図を図示したものであって、Ｌサイズのものを示す平面図である。
このＬサイズのものも、上面部材１０と前端襠部財２０と後方側面部材３０の３つの部材から構成される。
このＬサイズのものは、上記Ｍ３サイズのものよりも大きいサイズのものであり、上面部材１０の前後方向長さＮは、４５ｃｍである。
【００１７】
このＬサイズのものは、上記Ｍ３サイズとその形態的な特徴は同様である。
即ち、上面部材１０の前端縁部１１の形状が大きく略Ｕ字形状に切り込みが形成されているが、その切込み角度はθは、上記Ｍ３サイズのものよりも小さく、約７０度である。
また、前端襠部材２０の曲線外周部２２の両側の前端部（図中上方両端部、シートに取り付けられた際は下端部）コーナー部２２ｃ、２２ｃを少し切り欠いて、図中上端部の横幅を、その下方部分よりも小さく形成している点も同様である。
更に、後方側面部材３０についても、上記Ｍ３サイズのものと同様に、前端縁部３１の長さを後端縁部３２の長さよりも短く形成している。
【００１８】
図６は、本考案のシートカバーに係る一実施形態の縫製前の展開図を図示したものであって、ＬＬサイズのものを示す平面図である。
このＬＬサイズのものも、上面部材１０と前端襠部財２０と後方側面部材３０の３つの部材から構成される。
このＬＬサイズのものは、上記Ｌサイズのものよりも大きいサイズのものであり、上面部材１０の前後方向長さＮは、５０ｃｍである。
【００１９】
このＬＬサイズのものも、上記Ｍ３サイズ及びＬサイズとその形態的な特徴は同様であるが、上面部材１０の前端縁部１１の形状が略Ｖ字形状カットに形成され、その切込み角度θは、約１２９度である。
また、前端襠部材２０の曲線外周部２２の両側の前端部（図中上方両端部、シートに取り付けられた際は下端部）コーナー部２２ｃ、２２ｃの形状も上記Ｌサイズと同様である。
更に、後方側面部材３０についても、上記Ｌサイズのものと同様に、前端縁部３１の長さを後端縁部３２の長さよりも短く形成しているが、後端縁部３２の形状を曲線形状でなく、角度を持って直線的に形成されている点で異なっている。
【００２０】
以上、本考案の実施形態について説明したが、本考案においては以下の通りその形態を変更することができる。
本考案に係るシートカバーの材質は、従来のものと同様にＰＶＣレザー又はＰＶＣ発泡レザーを使用しているが、その材質は適宜必要に応じて選択して使用することができる。
３つの構成部材を縫製するに際しては、その縫製部位に通常の方法により帯状の耐水樹脂地を挟み込んで縫製する。金、銀、赤等の着色した合成樹脂の帯地を用いることによりその縫製箇所に着色ラインが模様として浮き出ることとなり、デザイン上の特徴付けとなる。
【００２１】
個々の部材の細かい部分の形状は、実用新案登録請求の範囲内で自由に設計変更することが可能である。
上面部材の前端縁部の形状のうち、略Ｖ字形状カットも必ずしも直線的に形成する必要はなく、曲線的なものであってもよい。
前端襠部財の下方両側端部（コーナー部）の切欠も自由な形状に切り欠くことができ、要は、その上方部よりもその下端部の横幅が狭く形成されていればよい。
後方側面部材も、その前端縁部と後端縁部の形状も自由に設計することができ、曲線状でも直線状でもよく、要は、上面部材の前後方向長さが約４０ｃｍ以下のときには、前端縁部の長さを後端縁部の長さよりも長く形成し、その前後方向長さが４０ｃｍを超える場合には、前端縁部の長さを後端縁部の長さよりも短く形成すればよいのである。
【００２２】
以上、本考案は、３つの構成部材からなるシートカバーの型紙形状に着目することにより創案されたものであって、より少ない種類のパターン形状で、より汎用性を向上させ、種々のバイクやスクーターシートに適合させることができ、しかも、より良好にシートに適合させて、スマートな外観を呈することのできる自動二輪車用のシートカバーを提供することができたものである。
【図面の簡単な説明】
【００２３】
【図１】本考案のシートカバーに係る一実施形態の縫製前の展開図を図示したものであって、Ｓサイズのものを示す平面図である。
【図２】本考案のシートカバーに係る一実施形態の縫製前の展開図を図示したものであって、Ｍ１サイズのものを示す平面図である。
【図３】本考案のシートカバーに係る一実施形態の縫製前の展開図を図示したものであって、Ｍ２サイズのものを示す平面図である。
【図４】本考案のシートカバーに係る一実施形態の縫製前の展開図を図示したものであって、Ｍ３サイズのものを示す平面図である。
【図５】本考案のシートカバーに係る一実施形態の縫製前の展開図を図示したものであって、Ｌサイズのものを示す平面図である。
【図６】本考案のシートカバーに係る一実施形態の縫製前の展開図を図示したものであって、ＬＬサイズのものを示す平面図である。
【符号の説明】
【００２４】
１０  上面部材
１１  前端縁部
１２  後端縁部
２０  前端襠部材
２２  曲線外周縁部
２２ｃ  コーナー部
３０  後方側面部材
３１  前端縁部
３２  後端縁部
【図１】
0003141863.tif 000003
【図２】
0003141863.tif 000004
【図３】
0003141863.tif 000005
【図４】
0003141863.tif 000006
【図５】
0003141863.tif 000007
【図６】
0003141863.tif 000008